(57)【要約】【課題】頭蓋骨の矯正を容易且つ効果的に行うことができ、装着した状態での行動の制限を極力発生させない頭部用バンドを提供する。【解決手段】この頭部用バンドの各第１構成部分１０及び第２構成部分２０は、各第１構成部分１０の間を構成する第３構成部分３０と、各第１構成部分１０と第２構成部分２０との間を構成する第４構成部分４０と比較し、バンド長さ方向に１０Ｎの引張力を加えた場合の伸長率が１／２以下である。このため、第３構成部分３０及び各第４構成部分４０が頭部１を内側に向かって押す力と比較し、各第１構成部分１０及び第２構成部分２０がテリオン縫合部、ラムダ縫合部及び後頭骨を頭部内側に向かって押す力が大きくなり、テリオン縫合部、ラムダ縫合部及び後頭骨を効率的に頭部内側に向かって押すことができる。【選択図】図１
2012034774.tif 000002
【特許請求の範囲】
【請求項１】
頭蓋骨における左右一対のテリオン縫合部における前頭骨と蝶形骨と頭頂骨との縫合部と、後頭骨とを、頭部内側に向かって押すように頭部に装着可能な頭部用バンドであって、
それぞれバンド長さ方向における所定範囲を構成し、各テリオン縫合部における前頭骨と蝶形骨と頭頂骨との縫合部を頭部内側に向かって押すための左右一対の第１構成部分と、
バンド長さ方向における所定範囲を構成し、後頭骨を頭部内側に向かって押すための第２構成部分と、
バンド長さ方向における各第１構成部分の間を構成する弾性伸長可能な第３構成部分と、
バンド長さ方向における各第１構成部分と第２構成部分との間を構成する左右一対の弾性伸長可能な第４構成部分とを備え、
バンド長さ方向に１０Ｎの引張力を加えた際に、第１及び第２構成部分のバンド長さ方向の伸長率が、第３及び各第４構成部分のバンド長さ方向の伸長率の１／２以下となるように構成されている
ことを特徴とする頭部用バンド。
【請求項２】
前記第３構成部分及び各第４構成部分が、バンド長さ方向に延びる帯状ゴムと該帯状ゴムを覆う被覆布とを有するゴム被覆ベルトから構成されている
ことを特徴とする請求項１に記載の頭部用バンド。
【請求項３】
前記被覆布は、ゴム状弾性を有する糸を長繊維または短繊維で被覆した弾性糸を編んだ布から成る
ことを特徴とする請求項２に記載の頭部用バンド。
【請求項４】
前記第３構成部分、各第１構成部分及び各第４構成部分が１本のゴム被覆ベルトを用いて一体に形成され、
各第１構成部分は、ゴム被覆ベルトにそのバンド長さ方向への伸びを規制するための伸び規制部材を縫合することにより、バンド長さ方向に１０Ｎの引張力を加えた際のバンド長さ方向の伸長率が第３及び各第４構成部分のバンド長さ方向の伸長率の１／２以下となるように構成されている
ことを特徴とする請求項２または３の何れかに記載の頭部用バンド。
【請求項５】
前記伸び規制部材は、ゴム被覆ベルトにおける頭部に接触しない面に縫合されている
ことを特徴とする請求項４に記載の頭部用バンド。
【請求項６】
前記各第１構成部分及び第２構成部分のうち少なくとも１つに、該構成部分のバンド長さ方向の長さを調整可能な長さ調整手段を設けた
ことを特徴とする請求項１、２、３、４または５の何れかに記載の頭部用バンド。
【請求項７】
前記第３構成部分、各第１構成部分及び各第４構成部分が１本のゴム被覆ベルトを用いて一体に形成され、
各第１構成部分は、ゴム被覆ベルトにそのバンド長さ方向への伸びを規制するための伸び規制部材を縫合することにより、バンド長さ方向に１０Ｎの引張力を加えた際のバンド長さ方向の伸長率が第３及び各第４構成部分のバンド長さ方向の伸長率の１／２以下となるように構成され、
前記第２構成部分が、ゴム被覆ベルトの両端にそれぞれ一端が連結された左右一対のベルトと、各ベルトの他端側同士を接続する接続部材とを有し、
接続部材は、各ベルトのうち少なくとも一方の長さを調整することにより、第２構成部分のバンド長さ方向の長さを調整可能に構成されている
ことを特徴とする請求項２または３の何れかに記載の頭部用バンド。
【請求項８】
頭部に装着された際に頭部と前期接続部材との間に配置されるパッドをさらに有する
ことを特徴とする請求項７に記載の頭部用バンド。
【請求項９】
前記各第１構成部分、第２構成部分、第３構成部分及び各第４構成部分の少なくとも何れか１つのバンド内周面が拡縮するように構成した
ことを特徴とする請求項１、２、３、４、５、６、７または８の何れかに記載の頭部用バンド。
【請求項１０】
頭蓋骨における左右一対のテリオン縫合部における前頭骨と蝶形骨と頭頂骨との縫合部と、後頭骨とを、頭部内側に向かって押すように頭部に装着可能な頭部用バンドであって、
バンド長さ方向の３箇所が、バンド長さ方向に１０Ｎの引張力を加えた際のバンド長さ方向の伸長率が５％以上となるように弾性伸長可能な伸縮部から構成されるとともに、バンド長さ方向における各伸縮部間が、バンド長さ方向に１０Ｎの引張力を加えた際のバンド長さ方向の伸長率が前記伸長率の１／２以下となる押圧部から構成されている
ことを特徴とする頭部用バンド。
【請求項１１】
前記各押圧部がそれぞれ、各テリオン縫合部及び後頭骨の何れか１つを頭部内側に向かって押すように構成されている
ことを特徴とする請求項１０に記載の頭部用バンド。
【請求項１２】
前記各押圧部及び各伸縮部の少なくとも何れか１つのバンド内周面が拡縮するように構成した
ことを特徴とする請求項１０または１１の何れかに記載の頭部用バンド。
【発明の詳細な説明】
【技術分野】
【０００１】
本発明は、頭蓋骨のずれの補正や集中力の向上等のために頭部に装着する頭部用バンドに関するものである。
【背景技術】
【０００２】
頭蓋骨は１５種２３個の骨の連結により形成されており、また、頭蓋骨を構成する各骨の間は縫合という骨間結合組織（繊維状組織）で結合されており、各骨の間は縫合を介してわずかに動くようになっている。
【０００３】
縫合部が各骨間の動きを許容するようになっているので、頭蓋骨は、頭部に強い外力が加わった際に各骨間に動きをもたせることができ、加わった外力を分散させる機能や、脳圧を一定に保つために頭蓋骨の拡縮を許容し、脳内における血液や脳脊髄液の循環をスムーズに行わせる機能を有している。
【０００４】
このため、この縫合にずれ（ゆがみ）が生じたり、縫合部の動きが悪くなると、頭蓋骨の前記動きがスムーズでなくなり、脳内における血液や脳脊髄液の循環もスムーズでなくなり、血管や神経の圧迫が生じ、体調不良を引き起こす場合がある。特に、脳脊髄液の循環異常は頭蓋内圧上昇の原因の１つと言われており、頭痛、嘔吐、痙攣、除脈、精神症状、視神経乳頭の浮腫・鬱血、外転神経麻痺などを引き起こす要因として指摘されている。
【０００５】
また、脳内の血管が圧迫されると、脳内の虚血が生ずるとともに脳の働きが悪くなり、思考力、集中力等が低下する。さらに、虚血が特定の部位で生ずると、上記疾患以外にも注意欠陥・多動性障害等を引き起こす。
【０００６】
さらに、縫合のずれは欠陥だけではなく、神経圧迫も引き起こすため、特に中枢神経系の機能低下が発生し易くなる。
【０００７】
このように、頭蓋骨の縫合のずれは、軽い頭痛から重大な疾患まで関係があり、また、思考力や集中力の低下にも関係がある。
【０００８】
現在では、頭蓋骨の縫合のずれを補正する方法としては、頭蓋療法、頭蓋仙骨療法、矯正法等があるが、これらは整体師等の専門家の施術を必要とするので、通院の手間や費用がかかる。重大な疾患に関する場合は費用や手間をかけても専門家の施術を受ける事が必要になるが、頭痛等の比較的軽い疾患の場合や、思考力や集中力が少し低下していると感じるだけの場合は、専門家の施術を受ける人は少ない。
【０００９】
また、専門家の施術を要さずに頭蓋骨の矯正をする矯正器具として、頭部の周囲を囲む剛体の円形リングと、円形リングに互いに周方向に間隔をおいて螺合された複数のネジと、各ネジの一端に取付けられた押当て具と、各ネジの他端に取付けられたツマミとを備え、円形リングを頭部の外周面側に配置するとともに、ツマミを用いて各ネジを締込むことにより、各ネジの押当て具を頭蓋骨における前頭骨、後頭骨及び左右の側頭骨に押当てるものが知られている（例えば、特許文献１参照。）。
【先行技術文献】
【特許文献】
【００１０】
【特許文献１】特開２００７−１１７６６３号公報
【発明の概要】
【発明が解決しようとする課題】
【００１１】
ところで、前記矯正器具では、使用者が自らツマミによって各ネジを締込むことにより、各ネジの押当て具を頭蓋骨における前頭骨、後頭骨及び左右の側頭骨に押当てるようにしているが、素人にとって各ネジの締込み量を頭蓋骨の矯正に効果的な量に設定することは難しい。
【００１２】
また、前記矯正器具では、頭部の周囲を囲む剛体の円形リングと、円形リングに互いに周方向に間隔をおいて螺合された複数のネジと、各ネジの一端に取付けられた押当て具と、各ネジの他端に取付けられたツマミとを備えているので、矯正器具が仰々しく、装着した状態で頭を枕に載せることもできなくなり、装着した状態での行動が大きく制限される。
【００１３】
本発明は前記課題に鑑みてなされたものであり、その目的とするところは、頭蓋骨の矯正を容易且つ効果的に行うことができ、装着した状態での行動の制限を極力発生させない頭部用バンドを提供することにある。
【課題を解決するための手段】
【００１４】
本発明は前記目的を達成するために、頭蓋骨における左右一対のテリオン縫合部における前頭骨と蝶形骨と頭頂骨との縫合部と、後頭骨とを、頭部内側に向かって押すように頭部に装着可能な頭部用バンドであって、それぞれバンド長さ方向における所定範囲を構成し、各テリオン縫合部における前頭骨と蝶形骨と頭頂骨との縫合部を頭部内側に向かって押すための左右一対の第１構成部分と、バンド長さ方向における所定範囲を構成し、後頭骨を頭部内側に向かって押すための第２構成部分と、バンド長さ方向における各第１構成部分の間を構成する弾性伸長可能な第３構成部分と、バンド長さ方向における各第１構成部分と第２構成部分との間を構成する左右一対の弾性伸長可能な第４構成部分とを備え、バンド長さ方向に１０Ｎの引張力を加えた際に、第１及び第２構成部分のバンド長さ方向の伸長率が、第３及び各第４構成部分のバンド長さ方向の伸長率の１／２以下となるように構成されている。
【００１５】
このように、各第１構成部分及び第２構成部分は、各第１構成部分の間を構成する第３構成部分と、各第１構成部分と第２構成部分との間を構成する第４構成部分と比較し、バンド長さ方向に１０Ｎの引張力を加えた場合の伸長率が１／２以下である。このため、第３構成部分及び各第４構成部分が頭部を内側に向かって押す力と比較し、各第１構成部分及び第２構成部分がテリオン縫合部及び後頭骨を頭部内側に向かって押す力が大きくなり、テリオン縫合部及び後頭骨を効率的に頭部内側に向かって押すことができる。即ち、他の部分を無用に締め付けないように、テリオン縫合部及び後頭骨を効率的に押すことができる。また、他の部分を無用に締め付けないように、テリオン縫合部及び後頭骨を頭部内側に向かって押すことは、頭蓋骨の縫合のずれの補正や縫合部の動きの悪化の改善に効果があり、また、思考力や集中力を向上させる効果が期待できるものである。
【００１６】
また、本発明は、頭蓋骨における左右一対のテリオン縫合部における前頭骨と蝶形骨と頭頂骨との縫合部と、後頭骨とを、頭部内側に向かって押すように頭部に装着可能な頭部用バンドであって、バンド長さ方向の３箇所が、バンド長さ方向に１０Ｎの引張力を加えた際のバンド長さ方向の伸長率が５％以上となるように弾性伸長可能な伸縮部から構成されるとともに、バンド長さ方向における各伸縮部間が、バンド長さ方向に１０Ｎの引張力を加えた際のバンド長さ方向の伸長率が前記伸長率の１／２以下となる押圧部から構成されている。
【００１７】
このように、バンド長さ方向の３箇所の伸縮部が、バンド長さ方向に１０Ｎの引張力を加えた際のバンド長さ方向の伸長率が５％以上となるように弾性伸長可能であり、バンド長さ方向の３箇所の押圧部が、バンド長さ方向に１０Ｎの引張力を加えた際のバンド長さ方向の伸長率が伸縮部に比べて１／２以下であることから、各押圧部がテリオン縫合部及び後頭部を押すように該頭部用バンドを装着すると、各伸縮部が頭部を内側に向かって押す力と比較し、各押圧部がテリオン縫合部及び後頭骨を頭部内側に向かって押す力が大きくなり、テリオン縫合部及び後頭骨を効率的に頭部内側に向かって押すことができる。即ち、他の部分を無用に締め付けないように、テリオン縫合部及び後頭骨を効率的に押すことができる。また、他の部分を無用に締め付けないように、テリオン縫合部及び後頭骨を頭部内側に向かって押すことは、頭蓋骨の縫合のずれの補正や縫合部の動きの悪化の改善に効果があり、また、思考力や集中力を向上させる効果が期待できるものである。
【発明の効果】
【００１８】
本発明の頭部用バンドによれば、テリオン縫合部及び後頭骨を頭部内側に向かって押す力は、弾性伸長可能な第３構成部分、各第４構成部分及び伸縮部が伸長した際の復元力によって生ずるので、素人でも頭蓋骨の矯正を容易且つ効果的に行うことができ、また、思考力や集中力を向上させる効果が期待できる。さらに、円環状のバンドの一部を用いて、テリオン縫合部及び後頭骨を頭部内側に向かって押す力を効率的に発生させることができるので、テリオン縫合部及び後頭骨を頭部内側に向かって押す力を発生させるための装置等を別途設ける必要がなく、装着した状態での行動の制限が発生し難い。
【図面の簡単な説明】
【００１９】
【図１】本発明の第１実施形態を示す頭部用バンドの正面斜視図
【図２】頭部用バンドの側方斜視図
【図３】頭部用バンドの背面斜視図
【図４】頭部用バンドの使用状態説明図
【図５】図１におけるＡ−Ａ線断面図
【図６】図２におけるＢ−Ｂ線断面図
【図７】図２におけるＣ−Ｃ線断面図
【図８】図３におけるＤ−Ｄ線断面図
【図９】本発明の第２実施形態を示す頭部用バンドの側方斜視図
【図１０】図９におけるＥ−Ｅ線断面図
【図１１】図９におけるＦ−Ｆ線断面図
【発明を実施するための形態】
【００２０】
本発明の第１実施形態の頭部用バンドを図１〜図８を参照しながら説明する。この頭部用バンドは、図１〜図４に示すように、押圧部としての左右一対の第１構成部分１０と、押圧部としての第２構成部分２０と、各第１構成部分１０の間を構成する伸縮部としての第３構成部分３０と、各第１構成部分１０と第２構成部分２０との間を構成する伸縮部としての左右一対の第４構成部分４０とを備え、頭蓋骨における左右一対のテリオン縫合部における前頭骨と蝶形骨と頭頂骨との縫合部と、ラムダ縫合部と、後頭骨とを、頭部外側から内側に向かって押すように、頭部１に装着されるものである。テリオン縫合部は、頭蓋骨における前頭骨と蝶形骨と頭頂骨と側頭骨とが接合されているＨ形状の縫合部であり、ラムダ縫合部は、頭蓋骨における頭頂骨と後頭骨との縫合部である。
【００２１】
第３構成部分３０は頭部用バンドのバンド長さ方向の所定長さの範囲（例えば５〜１２ｃｍの範囲、好ましくは７〜１０ｃｍの範囲）を構成している。第３構成部分３０は、図５に断面を示すように、頭部用バンドのバンド長さ方向に延びる帯状ゴム３１と帯状ゴム３１を覆う被覆布３２とを有するゴム被覆ベルトから成る。該ゴム被覆ベルトは第３構成部分３０、各第１構成部分１０、各第４構成部分４０、及び第２構成部分２０の一部分の範囲に亘って延びている。即ち、第３構成部分３０は該ゴム被覆ベルトの一部から成る。帯状ゴム３１は、公知の天然ゴムや合成ゴム等のゴム状弾性を有する材料から成り、被覆布３２は、例えばＦＴＹ（Filament Twisted Yarn）やＣＳＹ（Core Spun Yarn）と称される弾性糸を編んだ布から成る。ＦＴＹはポリウレタン弾性糸等のゴム状弾性を有する糸を長繊維で被覆した弾性糸であり、ＣＳＹはポリウレタン弾性糸等のゴム状弾性を有する糸を短繊維で被覆した弾性糸である。被覆布３２は帯状ゴム３１に縫合糸３３を用いたジグザグ縫いによって縫合されており、縫合糸３３を用いたジグザグ縫いはバンド長さ方向に延びるようにゴム被覆ベルトの長さ方向のほぼ全体に亘って設けられている。縫合糸３３を用いたジグザグ縫いは、被覆布３２の帯状ゴム３１幅方向へのずれを規制し、帯状ゴム及び被覆布３２のバンド長さ方向への伸びを許容する。尚、被覆布３２をポリエステル等のゴム状弾性を有さない糸から構成することも可能であり、この場合は編み方によってバンド長さ方向に伸縮可能に形成することができる。
【００２２】
各第４構成部分４０はそれぞれ頭部用バンドのバンド長さ方向の所定長さの範囲（例えば３〜８ｃｍの範囲、好ましくは４〜７ｃｍの範囲）を構成している。本実施形態では、第４構成部分４０は第３構成部分３０と一体に構成され、即ち、第３構成部分３０と同様に、帯状ゴム３１と帯状ゴム３１を覆う被覆布３２とを有する前記ゴム被覆ベルトの一部から成る（図６参照）。
【００２３】
各第１構成部分１０はそれぞれ頭部用バンドのバンド長さ方向の所定範囲（例えば５〜１２ｃｍの範囲、好ましくは６〜１０ｃｍの範囲）を構成している。また、本実施形態では、各第１構成部分１０は第３構成部分３０と一体に構成され、即ち、第３構成部分３０と同様に、帯状ゴム３１と帯状ゴム３１を覆う被覆布３２とを有する前記ゴム被覆ベルトの一部から成り、さらに、バンド長さ方向に長手を有する長方形板状の伸び規制部材１１を有する（図７参照）。
【００２４】
第２構成部分２０は頭部用バンドのバンド長さ方向の所定範囲（例えばバンド長さ方向の８〜２０ｃｍの範囲）を構成している。第２構成部分２０は、例えばナイロンやポリエステル等の繊維を編んで成り、それぞれ一端が前記ゴム被覆ベルトの両端に縫合糸４１によって縫合された左右一対のベルト２１と、一対のベルト２１の他端側同士を接続する長さ調整手段としての接続部材２２とから成る。接続部材２２は周知のラダーロックから成り、また、各ベルト２１の他端は前記ゴム被覆ベルトの両端にそれぞれ縫合糸４１によって縫合されている。各第１構成部分１０、各第２構成部分２０、第３構成部分３０、各ベルト２１及び接続部材２２により、環状のバンド本体が形成されている。
【００２５】
各ベルト２１のうち一方のベルト２１は接続部材２２に所定の長さで固定され、他方のベルト２１の長さは接続部材２２によって調整可能である。このため、他方のベルト２１の長さを接続部材２２によって調整することにより、第２構成部分２０のバンド長さ方向における前記所定範囲を例えば８〜２０ｃｍの範囲で調整することができる。尚、接続部材２２を両方のベルト２１の長さを調整可能に構成することも可能である。
【００２６】
第２構成部分２０は、例えばＦＴＹ（Filament Twisted Yarn）やＣＳＹ（Core Spun Yarn）等の弾性糸を編んだ布から成りバンド長さ方向に弾性伸長可能な左右一対の弾性紐２３と、パッド２４とを有する。パッド２４は、図８に示すように、綿やポリエステルを編んだ布２４ｂでクッション材２４ａを被覆して成る。パッド２４は、頭部１の形状に沿うように全体として凹湾曲していることが好ましい（図８参照）。パッド２４のクッション材２４ａは、発泡ウレタン等から成り数ｍｍの厚みを有するスポンジ状部材や、綿や羽毛から成り数ｍｍの厚みを有する布から成る。各弾性紐２３の一端は前記ゴム被覆ベルトの両端にそれぞれ縫合糸４１によって縫合され、各弾性紐２３の他端はパッド２４の左右の両端に縫合糸２５によって縫合されている。尚、パッド２４の全体を数ｍｍの厚みを有する発泡ウレタン等のスポンジ状部材から形成することも可能であり、パッド２４の全体を数ｍｍの厚みを有する布から形成することも可能である。
【００２７】
各第１構成部分１０の伸び規制部材１１は例えばシリコンから成る。各伸び規制部材１１は幅方向の両端に外縁部１１ａを有し、外縁部１１ａは伸び規制部材１１の長さ方向の全体に亘って設けられている。また、外縁部１１ａは伸び規制部材１１の他の部分より薄く形成されている。各伸び規制部材１１は前記環状のバンド本体を成すゴム被覆ベルトの外周面に取付けられ、詳しくは、縫合糸１２によって各外縁部１１ａの長さ方向の全体がゴム被覆ベルトの帯状ゴム３１及び被覆布３２に縫合されることにより、各伸び規制部材１１がゴム被覆ベルトの外周面に取付けられている（図７参照）。伸び規制部材１１はゴム被覆ベルトよりもバンド長さ方向の弾性率が高いので、伸び規制部材１１によって第１構成部分１０のバンド長さ方向の弾性率が第３構成部分３０及び各第４構成部分４０よりも大きくなっている。
【００２８】
本実施形態では、第３構成部分３０及び各第４構成部分４０は前記ゴム被覆ベルトのみから成る部分であり、弾性伸長可能であり、バンド長さ方向に１０Ｎの引張力を加えた場合の伸長率が２０％以上である。ここで、伸長率は、（１０Ｎ引張時の長さ−無負荷時の長さ）／無負荷時の長さを１００分率であらわしたものである。また、第１構成部分１０は前記ゴム被覆ベルトに伸び規制部材１１を取付けた部分であり、バンド長さ方向に１０Ｎの引張力を加えた場合の伸長率が２％以下である。また、第２構成部分２０は、一対のベルト２１及び接続部材２２から成る部分であり、縫合糸４１によるゴム被覆ベルトとベルト２１と弾性紐２３との縫合部も第２構成部分２０に含まれている。第２構成部分２０は、接続部材２２によって前記他方のベルト２１が所定の長さに調整され、バンド長さ方向に１０Ｎの引張力を加えた場合、伸長率が２％以下である。尚、弾性紐２３の弾性率はゴム被覆ベルトよりも小さい。
【００２９】
以上のように構成された頭部用バンドは、図４に示すように頭部１に装着される。頭部用バンドが頭部１に装着されると、図４に示すように、各第１構成部分１０によって各テリオン縫合部における前頭骨と蝶形骨と頭頂骨との縫合部が頭部内側に向かって押され、また、第２構成部分２０によってラムダ縫合部及び後頭骨が頭部内側に向かって押される。
【００３０】
ここで、各第１構成部分１０及び第２構成部分２０は、各第１構成部分１０の間を構成する第３構成部分３０と、各第１構成部分１０と第２構成部分２０との間を構成する第４構成部分４０と比較し、バンド長さ方向に１０Ｎの引張力を加えた場合の伸長率が１／１０以下である。このため、第３構成部分３０及び各第４構成部分４０が頭部１を内側に向かって押す力と比較し、各第１構成部分１０及び第２構成部分２０がテリオン縫合部、ラムダ縫合部及び後頭骨を頭部内側に向かって押す力が大きくなり、テリオン縫合部、ラムダ縫合部及び後頭骨を効率的に頭部内側に向かって押すことができる。即ち、他の部分を無用に締め付けないように、テリオン縫合部、ラムダ縫合部及び後頭骨を効率的に押すことができる。また、他の部分を無用に締め付けないように、テリオン縫合部、ラムダ縫合部及び後頭骨を頭部内側に向かって押すことや、他の部分を無用に締め付けないように、テリオン縫合部及び後頭骨を頭部内側に向かって押すことは、頭蓋骨の縫合のずれの補正や縫合部の動きの悪化の改善に効果があり、また、思考力や集中力の向上効果が期待できる。
【００３１】
このように、本実施形態によれば、テリオン縫合部、ラムダ縫合部及び後頭骨を頭部内側に向かって押す力は、弾性伸長可能な第３構成部分３０及び各第４構成部分４０が伸長した際の復元力によって生ずるので、素人でも頭蓋骨の矯正を容易且つ効果的に行うことができ、また、思考力や集中力を向上させる効果が期待できる。また、円環状のバンドの一部を用いて、テリオン縫合部、ラムダ縫合部及び後頭骨を頭部内側に向かって押す力を効率的に発生させることができるので、テリオン縫合部、ラムダ縫合部及び後頭骨を頭部内側に向かって押す力を発生させるための装置等を別途設ける必要がなく、装着した状態での行動の制限が発生し難い。
【００３２】
また、本実施形態では、第３構成部分３０及び各第４構成部分４０が、バンド長さ方向に延びる帯状ゴム３１と該帯状ゴム３１を覆うバンド長さ方向に伸縮可能な被覆布３２とを有するゴム被覆ベルトから構成されている。このように、摩擦係数の大きいゴムの表面が被覆布３２によって覆われているので、頭部１に装着した際に、第３構成部分３０及び各第４構成部分４０との摩擦によって頭部の一部、例えば額の皮膚の一部に無用な引張力が加わることが防止され、また、第３構成部分３０及び各第４構成部分４０の伸長により発生した復元力が各第１構成部分１０及び第２構成部分２０に伝わる際の摩擦によるロスも低減することができ、他の部分を無用に締め付けないように、テリオン縫合部、ラムダ縫合部及び後頭骨を効率的に押す上で有利である。
【００３３】
また、前記被覆布３２は、ゴム状弾性を有する糸を長繊維または短繊維で被覆した弾性糸を編んだ布から形成されている。ここで、ゴム状弾性を有する糸を長繊維または短繊維で被覆した弾性糸を編んだ布は、表面の摩擦係数が低く、バンド長さ方向に極めて軟らかく伸縮するので、頭部１に装着した際に、第３構成部分３０及び各第４構成部分４０によって頭部の一部、例えば額の皮膚の一部に無用な引張力が加わることが効果的に防止され、また、第３構成部分３０及び各第４構成部分４０の伸長により発生した復元力が各第１構成部分１０及び第２構成部分２０に伝わる際の摩擦によるロスも効果的に低減することができ、他の部分を無用に締め付けないように、テリオン縫合部、ラムダ縫合部及び後頭骨を効率的に押す上で極めて有利である。
【００３４】
また、第３構成部分３０、各第１構成部分１０及び各第４構成部分４０が１本のゴム被覆ベルトを用いて一体に形成され、また、各第１構成部分１０は、ゴム被覆ベルトにその長さ方向への伸びを規制するための伸び規制部材１１を縫合することにより、バンド長さ方向に１０Ｎの引張力を加えた際のバンド長さ方向の伸長率が第３及び各第４構成部分のバンド長さ方向の伸長率の１／１０以下となるように構成されている。これに対し、第３構成部分と各第１構成部分と各第４構成部分とをそれぞれ別体で形成し、互いに縫合等によって接続する場合は、頭部１に装着した際に互いの接続部分が頭部１の表面に接触し、装着感が悪くなる場合があるが、第３構成部分３０、各第１構成部分１０及び各第４構成部分４０が１本のゴム被覆ベルトを用いて一体に形成されているので、装着感を向上する上で有利である。
【００３５】
また、伸び規制部材１１は、ゴム被覆ベルトにおける頭部１に接触しない面に縫合されているので、装着感を向上する上で有利である。
【００３６】
また、第２構成部分２０に、第２構成部分２０のバンド長さ方向の長さを調整可能な接続部材２２を設けたので、頭部１のサイズに応じてバンド長さを調整可能である。また、第２構成部分２０のバンド長さを調整することにより、第３構成部分３０及び各第４構成部分４０の伸長量が調整される。このため、第２構成部分２０のバンド長さを調整するだけで、各第１構成部分１０及び第２構成部分２０によってテリオン縫合部、ラムダ縫合部及び後頭骨を頭部内側に向かって押す力を調整することができる。尚、本実施形態では第２構成部分２０の長さを調整可能に構成したが、第１構成部分１０の長さを調整可能に構成することも可能であり、この場合でも同様の作用効果が達成される。
【００３７】
また、第２構成部分２０の長さを調整可能な接続部材２２はラダーロックから成るので、図３において斜線付き矢印の方向に他方のベルトを引っ張るだけで、第２構成部分２０の長さを短くすることができる。従って、頭部１に装着した状態で第３構成部分３０及び各第４構成部分４０の伸長量を容易且つ正確に調整することができるので、各第１構成部分１０及び第２構成部分２０によってテリオン縫合部、ラムダ縫合部及び後頭骨を頭部内側に向かって押す力を適切に調整する上で極めて有利である。
【００３８】
また、この頭部用バンドを装着した際に、第２構成部分２０の接続部材２２と頭部１との間にパッド２４が配置され、接続部材２２と頭部１とが接触しないので、第３構成部分３０及び各第４構成部分４０の伸長量を多目に設定しても、接続部分２２が頭部１に押付けられることによる痛みを生ずることがない。
【００３９】
また、パッド２４は左右一対の弾性紐２３に接続され、各弾性紐２３の一端はゴム被覆ベルトの両端にそれぞれ縫合されている。このため、頭部用バンドを頭部１に装着する際に、パッド２４を接続部材２２と頭部１との間に容易に配置することができる。また、パッド２４は左右一対の弾性紐２３によって支持されており、弾性紐２３はバンド長さ方向に弾性伸長可能であることから、第２構成部分２０の長さ調整を阻害しない。
【００４０】
また、本実施形態の頭部用バンドは、バンド長さ方向の３箇所を、バンド長さ方向に１０Ｎの引張力を加えた際のバンド長さ方向の伸長率が２０％以上となるように弾性伸長可能な伸縮部（第３構成部分３０及び各第４構成部分４０）から構成するとともに、バンド長さ方向における各伸縮部間を、バンド長さ方向に１０Ｎの引張力を加えた際のバンド長さ方向の伸長率が前記伸長率の１／１０以下となる押圧部（各第１構成部分１０及び第２構成部分２０）から構成している。このため、各押圧部がテリオン縫合部、ラムダ縫合部及び後頭部を押すように該頭部用バンドを装着すると、各伸縮部が頭部を内側に向かって押す力と比較し、各押圧部がテリオン縫合部、ラムダ縫合部及び後頭骨を頭部内側に向かって押す力が大きくなり、テリオン縫合部、ラムダ縫合部及び後頭骨を効率的に頭部内側に向かって押すことができる。即ち、他の部分を無用に締め付けないように、テリオン縫合部、ラムダ縫合部及び後頭骨を効率的に押すことができる。また、他の部分を無用に締め付けないように、テリオン縫合部、ラムダ縫合部及び後頭骨を頭部内側に向かって押すことは、頭蓋骨の縫合のずれの補正や縫合部の動きの悪化の改善に効果があり、また、思考力や集中力を向上させる効果が期待できるものである。
【００４１】
尚、本実施形態の第３構成部分３０及び各第４構成部分４０は、バンド長さ方向に１０Ｎの引張力を加えた場合の伸長率が２０％以上となるように構成され、各第１構成部分１０及び第２構成部分２０は、バンド長さ方向に１０Ｎの引張力を加えた場合の伸長率が第３及び第４構成部分３０，４０と比較して１／１０以下であるものを示した。これに対し、本実施形態の第３構成部分３０及び各第４構成部分４０が、バンド長さ方向に１０Ｎの引張力を加えた場合の伸長率が５％以上となるように構成され、各第１構成部分１０及び第２構成部分２０が、バンド長さ方向に１０Ｎの引張力を加えた場合の伸長率が第３及び第４構成部分３０，４０と比較して１／２以下となるように構成されていれば、前述と同様の作用効果を達成可能である。尚、第３構成部分３０及び各第４構成部分４０の１０Ｎの引張力による伸長率は１０％以上であることが好ましく、２０％以上であることがより好ましい。また、各第１構成部分１０及び第２構成部分２０の第３構成部分３０及び各第４構成部分４０に対する１０Ｎの引張力による伸長率の割合は、１／５以下であることが好ましく、１／１０以下であることがより好ましい。
【００４２】
尚、本実施形態において、第１構成部分１０及び第２構成部分２０のバンド長さ方向の一部に弾性伸長可能な部分を設けることも可能である。この場合でも、第１構成部分１０及び第２構成部分２０の１０Ｎの引張力による伸長率の割合が前記の範囲内であれば、前述と同様の作用効果が達成される。
【００４３】
尚、本実施形態において、第２構成部分２０を各第１構成部分１０と同様に構成することも可能である。即ち、ゴム被覆ベルト自体をリング状に形成し、各第１構成部分１０の伸びをそれぞれ伸び規制部材１１によって規制し、第２構成部分２０の伸びも第１構成部分１０と同様に伸び規制部材１１によって規制することが可能である。この場合、バンド長さの調整は出来ないが、バンド長さを予め使用者のサイズに応じて複数種類準備しておくこと等が可能であり、また、このように構成しても、各第１構成部分１０及び第２構成部分２０によってテリオン縫合部、ラムダ縫合部及び後頭骨を効率的に頭部内側に向かって押すことができる。
【００４４】
尚、本実施形態では、伸び規制部材１１を長方形板状のシリコンから形成したものを示した。これに対し、伸び規制部材１１を長方形板状の布から形成することも可能であり、その他の部材から形成することも可能である。
【００４５】
尚、本実施形態では、ラダーロック等の接続部材２２を用いて第２構成部分２０の長さを調整するものを示したが、ラダーロックの代わりにバックルを用いることも可能である。また、ベルト２１の厚さ方向の面に面ファスナーを設け、該面ファスナーを用いて第２構成部分２０の長さを調整することも可能である。
【００４６】
尚、本実施形態では、第２構成部分２０によってラムダ縫合部及び後頭骨を頭部内側に向かって押すように構成しているが、第２構成部分２０によって後頭骨のみを頭部内側に向かって押すように構成する場合でも、頭蓋骨の縫合のずれの補正や縫合部の動きの悪化の改善に効果があり、また、思考力や集中力の向上効果が期待できる。
【００４７】
本発明の第２実施形態の頭部用バンドを図９〜図１１を参照しながら説明する。この頭部用バンドは第１実施形態の頭部用バンドに２つのエアバッグ５０を追加したものである。
【００４８】
各エアバッグ５０は、図１０及び図１１に示すように、ゴム被覆ベルト内に配置され、詳しくは、ゴム被覆ベルトの帯状ゴム３１の内周面と被覆布３２との間に配置されている。各エアバッグ５０は第３構成部分３０、各第１構成部分１０及び各第４構成部分４０に亘ってバンド長さ方向に延びる筒状に形成されている。即ち、各エアバッグ５０は第３構成部分３０、各第１構成部分１０及び各第４構成部分４０に対応するゴム被覆ベルトの内周面側に設けられている。各エアバッグ５０は天然ゴム、合成ゴム等のゴム状弾性を有する材料から成り、内部の空気量を調整することにより、各エアバッグ５０がゴム被覆ベルトの内周面（バンド内周面）を拡縮させるようになっている。各エアバッグ５０は可撓性を有する管（図示せず）を介して公知の電動エアポンプ（図示せず）に接続されている。また、電動エアポンプは、各エアバッグ内の空気量を所定時間サイクル（例えば数秒〜数分のサイクル）で増加及び減少させるようになっている。
【００４９】
ここで、本実施形態では、各第１構成部分１０及び第２構成部分２０は、各第１構成部分１０の間を構成する第３構成部分３０と、各第１構成部分１０と第２構成部分２０との間を構成する第４構成部分４０と比較し、バンド長さ方向に１０Ｎの引張力を加えた場合の伸長率が１／１０以下である。このため、第３構成部分３０及び各第４構成部分４０が頭部１を内側に向かって押す力と比較し、各第１構成部分１０及び第２構成部分２０がテリオン縫合部、ラムダ縫合部及び後頭骨を頭部内側に向かって押す力が大きくなり、テリオン縫合部、ラムダ縫合部及び後頭骨を効率的に頭部内側に向かって押すことができる。このため、各エアバッグ５０を膨張させてゴム被覆ベルトの内周面を縮径する際も、第３構成部分３０及び各第４構成部分４０が頭部１を内側に向かって押す力と比較し、各第１構成部分１０及び第２構成部分２０がテリオン縫合部、ラムダ縫合部及び後頭骨を頭部内側に向かって押す力が大きくなる。即ち、他の部分を無用に締め付けないように、テリオン縫合部、ラムダ縫合部及び後頭骨をより効率的に押すことができる。
【００５０】
また、本実施形態によれば、ゴム被覆ベルトの内周面が所定時間サイクルで拡縮するようになっているので、他の部分を無用に締め付けないように、テリオン縫合部、ラムダ縫合部及び後頭骨を効率的にマッサージすることができる。ここで、他の部分を無用に締め付けないように、テリオン縫合部及び後頭骨を頭部内側に向かって押すマッサージを行うことは、頭蓋骨の縫合のずれの補正や縫合部の動きの悪化の改善に効果があり、また、思考力や集中力の向上効果が期待でき、さらには、使用者をリラックスさせる効果もある。
【００５１】
尚、第２実施形態において、各エアバッグ５０を設ける代わりに、ゴム被覆ベルトの被覆布３２を非通気性で伸縮性を有する布材やゴムシートから形成し、被覆布３２の全体に各エアバッグ５０と同様の機能を持たせることも可能である。この場合、被覆布３２内が可撓性を有する管（図示せず）を介して公知の電動エアポンプ（図示せず）に接続され、電動エアポンプによって被覆布３２内の空気量を調整することにより、ゴム被覆ベルトの内周面が拡縮する。
【００５２】
また、第２実施形態において、第２構成部分２０を各第１構成部分１０と同様に構成することも可能である。即ち、ゴム被覆ベルト自体をリング状に形成し、各第１構成部分１０の伸びをそれぞれ伸び規制部材１１によって規制し、第２構成部分２０の伸びも第１構成部分１０と同様に伸び規制部材１１によって規制することが可能である。この場合、各エアバッグ５０をリング状のゴム被覆ベルトの全周に亘って設けることも可能である。各エアバッグ５０を全周に亘って設ける場合は、ゴム被覆ベルトの内周面が全周に亘って拡縮するようになる。
【００５３】
また、各第１構成部分１０、第２構成部分２０、第３構成部分３０及び各第４構成部分４０の少なくとも何れか１つのバンド内周面が拡縮するように構成した場合でも、前述と同様のマッサージ効果が得られる。
【符号の説明】
【００５４】
１…頭部、１０…第１構成部分、１１…伸び規制部材、１１ａ…外縁部、１２…縫合糸、２０…第２構成部分、２１…ベルト、２２…接続部材、２３…弾性紐、２４…パッド、２４ａ…クッション材、２４ｂ…布、２５…縫合糸、３０…第３構成部分、３１…帯状ゴム、３２…被覆部材、３３…縫合糸、４０…第４部分、４１…縫合糸、５０…エアバッグ。
【図１】
2012034774.tif 000003
【図２】
2012034774.tif 000004
【図３】
2012034774.tif 000005
【図４】
2012034774.tif 000006
【図５】
2012034774.tif 000007
【図６】
2012034774.tif 000008
【図７】
2012034774.tif 000009
【図８】
2012034774.tif 000010
【図９】
2012034774.tif 000011
【図１０】
2012034774.tif 000012
【図１１】
2012034774.tif 000013